(57)【特許請求の範囲】
【請求項１】
第１の通信網に接続された主無線装置と、第２の通信網に接続された従無線装置とが、時分割複信方式で無線通信可能に接続され、
前記主無線装置に、
同期網である前記第１の通信網から受信した同期クロックに周波数同期された無線処理クロックを生成する無線処理クロック生成部と、
前記同期クロックに基づいて前記第１の通信網からの伝送データを抽出する伝送データ抽出部と、
前記無線処理クロック生成部で生成された無線処理クロックと、前記伝送データ抽出部で抽出された伝送データとに基づいて、無線フレームを生成して変調信号として前記従無線装置に送信する無線送信処理部と、
を有する無線送信部を備え、
前記従無線装置に、
前記主無線装置からの変調信号に基づいてバースト信号の位置を検出する受信バースト検出部と、
前記受信バースト検出部による検出位置に基づいて前記主無線装置からのバースト信号の検出周期を算出し、この検出周期に基づいて無線フレームクロックを生成する無線フレーム周期検出部と、
前記無線フレーム周期検出部で生成された無線フレームクロックに周波数同期された無線処理クロックを生成する無線処理クロック再生部と、
前記無線フレーム周期検出部で生成された無線フレームクロックに周波数同期された再生同期クロックを生成する同期クロック再生部と、
前記同期クロック再生部で生成された再生同期クロックを前記第２の通信網に送信する再生同期クロック送信部と、
を有する無線受信部を備え、前記受信バースト検出部は、前記無線処理クロック再生部で生成された無線処理クロックに基づいて前記位置を検出する、
ことを特徴とする時分割複信方式無線通信システム。
【発明の詳細な説明】
【技術分野】
【０００１】
この発明は、同期がとられた通信網においてＴＤＤ（Ｔｉｍｅ  Ｄｉｖｉｓｉｏｎ  Ｄｕｐｌｅｘ、時分割複信）方式の無線通信を行う時分割複信方式無線通信システムに関する。
【背景技術】
【０００２】
ＳＯＮＥＴ／ＳＤＨ（高速デジタル通信方式の国際規格のひとつ）やＴ１／Ｅ１（高速デジタル回線の規格のひとつ）などを用いた同期網の一部に無線通信システムを適用する場合、主無線装置から従無線装置へ同期クロックを伝送する必要があり、従来、ＦＤＤ（Ｆｒｅｑｕｅｎｃｙ  Ｄｉｖｉｓｉｏｎ  Ｄｕｐｌｅｘ、周波数分割複信）方式の無線通信システムが用いられていた（例えば、特許文献１等参照。）。なぜなら、ＦＤＤ方式では、送信信号が連続変調信号であるため、復調器に電圧制御発振器（Ｖｏｌｔａｇｅ  Ｃｏｎｔｒｏｌｌｅｄ  Ｏｓｃｉｌｌａｔｏｒ：ＶＣＯ）などを備えたクロック再生回路を用いることで、連続変調信号から容易かつ安定して同期クロックを伝送することができるためである。
【先行技術文献】
【特許文献】
【０００３】
【特許文献１】特開２００８−２１１５８７号公報
【発明の概要】
【発明が解決しようとする課題】
【０００４】
ところで、データのトラフィックに応じて適応的に上下回線の伝送帯域を対称もしくは非対称に制御可能なＴＤＤ方式は、周波数利用効率の観点でＦＤＤ方式よりも有利である場合がある。すなわち、ＦＤＤ方式では、２つの周波数チャネルが必要であるのに対して、ＴＤＤ方式では、１つの周波数チャネルで上下方向の通信が可能である。
【０００５】
しかしながら、ＴＤＤ方式では、送信信号がバースト変調信号であり、復調器でクロック自体を再生するのではなく、バースト変調信号を信号補間して受信シンボルを再生する手法などが採られている（参考文献、松本洋一、守倉正博、加藤修三、「バーストモード全ディジタル化高速クロック再生回路−蓄積型クロック再生方式−」、電子情報通信学会論文誌  Ｂ−ＩＩ  Ｖｏｌ．Ｊ７５−Ｂ−ＩＩ  Ｎｏ．６  ｐｐ．３５４−３６２  １９９２年５月）。このため、安定して同期クロックを伝送することが難しく、同期網に適用することが困難であった。また、ＦＤＤ方式と同様な電圧制御発振器を備えたクロック再生回路を用いたとしても、バースト変調信号とバースト変調信号との間の無信号期間において、クロックを再生することができず、同様に、安定して同期クロックを伝送することが困難である。
【０００６】
そこでこの発明は、時分割複信方式の無線通信において、安定して同期クロックを伝送することが可能な時分割複信方式無線通信システムを提供することを目的とする。
【課題を解決するための手段】
【０００７】
上記目的を達成するために、請求項１に記載の発明は、
第１の通信網に接続された主無線装置と、第２の通信網に接続された従無線装置とが、時分割複信方式で無線通信可能に接続され、
前記主無線装置に、
同期網である前記第１の通信網から受信した同期クロックに周波数同期された無線処理クロックを生成する無線処理クロック生成部と、
前記同期クロックに基づいて前記第１の通信網からの伝送データを抽出する伝送データ抽出部と、
前記無線処理クロック生成部で生成された無線処理クロックと、前記伝送データ抽出部で抽出された伝送データとに基づいて、無線フレームを生成して変調信号として前記従無線装置に送信する無線送信処理部と、
を有する無線送信部を備え、
前記従無線装置に、
前記主無線装置からの変調信号に基づいてバースト信号の位置を検出する受信バースト検出部と、
前記受信バースト検出部による検出位置に基づいて前記主無線装置からのバースト信号の検出周期を算出し、この検出周期に基づいて無線フレームクロックを生成する無線フレーム周期検出部と、
前記無線フレーム周期検出部で生成された無線フレームクロックに周波数同期された無線処理クロックを生成する無線処理クロック再生部と、
前記無線フレーム周期検出部で生成された無線フレームクロックに周波数同期された再生同期クロックを生成する同期クロック再生部と、
前記同期クロック再生部で生成された再生同期クロックを前記第２の通信網に送信する再生同期クロック送信部と、
を有する無線受信部を備え、前記受信バースト検出部は、前記無線処理クロック再生部で生成された無線処理クロックに基づいて前記位置を検出する、
ことを特徴とする時分割複信方式無線通信システムである。
【０００８】
この発明によれば、第１の通信網から同期クロックを主無線装置が受信すると、無線送信部の無線処理クロック生成部によって、同期クロックに周波数同期された無線処理クロックが生成されるとともに、伝送データ抽出部によって、同期クロックに基づいて第１の通信網からの伝送データが抽出される。そして、生成された無線処理クロックと抽出された伝送データとに基づいて、無線送信処理部によって無線フレームが生成されて、変調信号が従無線装置に送信される。ここで、無線処理クロックに基づいて生成される無線フレームの周期の逆数（周波数）は、第１の通信網からの同期クロックの周波数に対して、所定の逓倍数、分周比の関係を有する。
【０００９】
一方、主無線装置からの変調信号を従無線装置が受信すると、無線受信部の受信バースト検出部によってバースト信号の位置が検出され、この検出位置に基づいて無線フレーム周期検出部によって、バースト信号の検出周期が算出され無線フレームクロックが生成される。続いて、同期クロック再生部によって、無線フレームクロックに周波数同期された再生同期クロックが生成され、生成された再生同期クロックが再生同期クロック送信部によって第２の通信網に送信される。ここで、無線フレームクロックに基づいて生成される再生同期クロックの周波数は、主無線装置からのバースト信号の検出周期の逆数（周波数）に対して、所定の逓倍数、分周比の関係を有する。
【発明の効果】
【００１０】
請求項１に記載の発明によれば、従無線装置における受信バースト信号の検出周期は、主無線装置における無線フレームの周期と等しくなる。このため、第１の通信網から主無線装置に伝送された同期クロックが、従無線装置を介して周波数同期して第２の通信網に伝送される。つまり、時分割複信方式の無線通信において、第１の通信網から第２の通信網に安定して同期クロックを伝送することが可能となる。
【００１１】
しかも、無線処理クロック再生部によって、無線フレームクロックに周波数同期された無線処理クロックが生成され、この無線処理クロックに基づいて受信バースト検出部でバースト信号の位置が検出される。つまり、主無線装置の無線送信部の無線処理クロックと、従無線装置の無線受信部の無線処理クロックとの周波数偏差が小さくなり、バースト信号の検出タイミングの誤差が抑制される。この結果、第２の通信網に出力される再生同期クロックの揺らぎを低減することができる。
【図面の簡単な説明】
【００１２】
【図１】この発明の実施の形態１に係る時分割複信方式無線通信システムにおける、主無線装置の無線送信部を示す概略構成ブロック図である。
【図２】この発明の実施の形態１に係る時分割複信方式無線通信システムにおける、従無線装置の無線受信部を示す概略構成ブロック図である。
【図３】この発明の実施の形態における、（ａ）Ｐ−Ｐ型の無線フレームフォーマットと、（ｂ）Ｐ−ＭＰ型の無線フレームフォーマットを示す図である。
【図４】この発明の実施の形態２に係る時分割複信方式無線通信システムにおける、従無線装置の無線受信部を示す概略構成ブロック図である。
【発明を実施するための形態】
【００１３】
以下、この発明を図示の実施の形態に基づいて説明する。
【００１４】
（実施の形態１）
図１、２は、この実施の形態に係る時分割複信方式無線通信システム（以下、適宜単に、「通信システム」という）における、主無線装置の無線送信部１と、従無線装置の無線受信部２を示す概略構成ブロック図である。この通信システムは、同期がとられた通信網において時分割複信方式の無線通信を行うシステムであり、第１の通信網（同期網）に接続された主無線装置と、第２の通信網（同期網）に接続された従無線装置とが、時分割複信方式で無線通信可能に接続されている。ここで、主無線装置は、無線受信部を備え、従無線装置は、無線送信部を備えており、これらは、後述するように、第１の通信網と第２の通信網との同期がとられた後において通常の無線装置と同等な動作を行うため、無線送信部１と無線受信部２について、主として以下に説明する。
【００１５】
また、この実施の形態では、第１の通信網の同期クロックを基準クロックとし、この同期クロックを主無線装置および従無線装置を介して、第２の通信網に伝送する場合について説明し、主無線装置と従無線装置との無線接続形態は、Ｐ−Ｐ（Ｐｏｉｎｔ  ｔｏ  Ｐｏｉｎｔ、１対１）型であってもよいし、Ｐ−ＭＰ（Ｐｏｉｎｔ  ｔｏ  Ｍｕｌｔｉ  Ｐｏｉｎｔ、１対多）型であってもよい。
【００１６】
すなわち、主無線装置から従無線装置への回線を下り回線、従無線装置から主無線装置への回線を上り回線と定義する場合、Ｐ−Ｐ型およびＰ−ＭＰ型ともに、図３に示すように、上下回線のバースト長が動的に変化することはある。しかしながら、無線フレームの周期Ｔ、つまり、主無線装置から従無線装置への下り回線のバースト変調信号の先頭のタイミングおよび周期は、一定であるとする。また、Ｐ−ＭＰ型の場合、主無線装置を基地局、複数の従無線装置を子局と呼ぶ場合がある。
【００１７】
主無線装置の無線送信部１は、図１に示すように、主として、同期クロック抽出・再生部１１と、無線処理クロック生成部１２と、伝送データ抽出部１３と、無線送信処理部１４とを備えている。
【００１８】
同期クロック抽出・再生部１１は、第１の通信網からの伝送データに同期クロックが重畳されている場合に、伝送データから同期クロックを抽出・再生するものであり、抽出・再生した同期クロックは、無線処理クロック生成部１２と伝送データ抽出部１３とに入力されるようになっている。ここで、伝送データとは別に、第１の通信網から同期クロックが伝送・入力される場合には、同期クロック抽出・再生部１１を設ける必要はない。
【００１９】
無線処理クロック生成部１２は、同期クロック抽出・再生部１１から入力された同期クロックに周波数同期させた、無線送信部１の無線処理クロックを生成するものであり、例えば、ＰＬＬ（Ｐｈａｓｅ  Ｌｏｃｋｅｄ  Ｌｏｏｐ、位相同期）回路によって構成されている。そして、生成された無線処理クロックは、無線送信処理部１４に入力されるようになっている。
【００２０】
伝送データ抽出部１３は、同期クロック抽出・再生部１１から入力された同期クロックに基づいて、第１の通信網からの伝送データを抽出するものである。すなわち、同期クロックのタイミングおよび周期で、第１の通信網から受信した伝送フレームから伝送データを抽出し、抽出した伝送データを無線送信処理部１４に入力する。
【００２１】
無線送信処理部１４は、無線処理クロック生成部１２で生成された無線処理クロックと、伝送データ抽出部１３で抽出された伝送データとに基づいて、無線フレームを生成して変調信号として従無線装置に送信するものである。すなわち、通信路符号化部１４１と、無線フレーム生成部１４２と、変調器１４３とを備え、入力された伝送データを通信路符号化部１４１で符号化し、無線処理クロックを基にして無線フレーム生成部１４２で無線フレームを組み立て、これを変調器１４３で変調して従無線装置に無線送信する。
【００２２】
このような無線送信部１で生成される無線フレームの周期Ｔは、無線処理クロックに基づいており、この無線処理クロックは、第１の通信網からの同期クロックに周波数同期されたものである。このため、無線フレームの周期Ｔの逆数（周波数）は、第１の通信網からの同期クロックの周波数Ｆ０に対して、次のような式１の関係を有する。
【００２３】
１／Ｔ＝（Ｎ１／Ｍ１）×Ｆ０
ここで、Ｎ１は、無線処理クロック生成部１２（ＰＬＬ回路）で特定される逓倍数で、Ｍ１は、無線処理クロック生成部１２で特定される分周比である。
【００２４】
従無線装置の無線受信部２は、図２に示すように、主として、無線受信処理部２１と、無線フレーム周期検出部２２と、同期クロック再生部２３と、伝送フレーム生成部（再生同期クロック送信部）２４とを備えている。また、無線受信処理部２１は、Ａ／Ｄ変換部２１１と、受信バースト検出部２１２と、復調器２１３と、通信路復号部２１４とを備え、さらに、この無線受信処理部２１は、独立した自走の基準発振器２５による無線処理クロックで、処理・動作するようになっている。
【００２５】
Ａ／Ｄ変換部２１１は、主無線装置から受信した変調信号をＡ／Ｄ変換し、受信バースト検出部２１２は、Ａ／Ｄ変換部２１１からのデジタル信号に基づいてバースト信号の位置を検出するものである。すなわち、無線フレーム周期Ｔの間隔で受信するバースト信号の、例えば先頭位置を検出し、その検出位置すなわちバースト検出タイミングを復調器２１３と無線フレーム周期検出部２２とに入力する。
【００２６】
無線フレーム周期検出部２２は、入力された検出位置に基づいて、主無線装置から受信したバースト信号の検出周期Ｔ´を算出し、この検出周期Ｔ´に基づいて無線フレームクロックを生成するものである。すなわち、まず、受信バースト検出部２１２から検出位置が入力される周期を、検出周期Ｔ´として算出する。この際、検出周期Ｔ´の精度を高めるために、平均化回路などを設け、検出位置が入力される周期を平均化して検出周期Ｔ´を算出してもよい。次に、検出周期Ｔ´を基に無線フレームクロックを生成し、これを同期クロック再生部２３に入力する。
【００２７】
同期クロック再生部２３は、無線フレーム周期検出部２２で生成された無線フレームクロックに周波数同期させた再生同期クロックを生成・再生するものであり、例えば、ＰＬＬ回路によって構成されている。これにより、検出周期Ｔ´に周波数同期された再生同期クロックが得られ、この再生同期クロックが、伝送フレーム生成部２４に入力されるようになっている。
【００２８】
伝送フレーム生成部２４は、同期クロック再生部２３で生成された再生同期クロックを第２の通信網に送信するものであり、この実施の形態では、伝送データに重畳させて再生同期クロックを送信する。すなわち、Ａ／Ｄ変換部２１１からのデジタル信号を復調器２１３によって、受信バースト検出部２１２からの検出位置に従って復調し、さらに、通信路復号部２１４によって復号して受信データを得る。そして、伝送フレーム生成部２４において、受信データに再生同期クロックを重畳して、第２の通信網に対応するように伝送フレームを組み立て、この伝送フレームに従って伝送データとして第２の通信網に送信する。ここで、伝送データとは別に再生同期クロックを出力・送信する場合には、同期クロック再生部２３で生成された再生同期クロックを出力・送信すればよい。
【００２９】
このように、無線受信部２からの伝送フレームは、再生同期クロックに基づいて組み立てられ、この再生同期クロックは、無線フレームクロックに周波数同期されたものであり、さらに、無線フレームクロックは、検出周期Ｔ´を基に生成されたものである。このため、無線受信部２で生成される再生同期クロックの周波数Ｆ０´は、受信バースト信号の検出周期Ｔ´の逆数（周波数）に対して、次のような式２の関係を有する。
【００３０】
Ｆ０´＝（Ｎ２／Ｍ２）×（１／Ｔ´）
ここで、Ｎ２は、同期クロック再生部２３（ＰＬＬ回路）で特定される逓倍数で、Ｍ１は、同期クロック再生部２３で特定される分周比である。
【００３１】
次に、このような構成の本通信システムの作用などについて説明する。
【００３２】
まず、第１の通信網から主無線装置に伝送データが伝送されると、同期クロック抽出・再生部１１によって同期クロックが抽出・再生され、無線処理クロック生成部１２において、同期クロックに周波数同期させた無線処理クロックが生成される。一方、伝送データ抽出部１３によって、同期クロックに基づいて伝送データが抽出され、無線送信処理部１４において、無線処理クロックと伝送データとに基づいて無線フレームが生成され、変調信号として従無線装置に送信される。
【００３３】
次に、主無線装置からの変調信号が従無線装置で受信されると、受信バースト検出部２１２によって、バースト信号の位置が検出され、無線フレーム周期検出部２２において、検出位置に基づいて、バースト信号の検出周期Ｔ´が算出され、この検出周期Ｔ´に基づく無線フレームクロックが生成される。続いて、同期クロック再生部２３によって、無線フレームクロックに周波数同期させた再生同期クロックが生成・再生され、伝送フレーム生成部２４によって、無線受信処理部２１で得られた受信データに再生同期クロックが重畳され、伝送フレームに従って伝送データが第２の通信網に送信される。
【００３４】
ここで、上記のように、従無線装置による再生同期クロックの周波数Ｆ０´は、受信バースト信号の検出周期Ｔ´の逆数に対して、式２の関係を有し、また、主無線装置の無線フレームの周期Ｔの逆数は、第１の通信網からの同期クロックの周波数Ｆ０に対して、式１の関係を有する。さらに、従無線装置における受信バースト信号の検出周期Ｔ´は、主無線装置における無線フレームの周期Ｔと等しく、第２の通信網に伝送される再生同期クロックは、第１の通信網からの同期クロックに等しくなる。このように、第１の通信網から主無線装置に伝送された同期クロックが、従無線装置を介して周波数同期して第２の通信網に伝送される。これにより、第１の通信網と第２の通信網とが同期され、その後は、第１の通信網と第２の通信網との間で同期がとられた状態で、送受信が行われるものである。
【００３５】
以上のように、この通信システムによれば、第１の通信網から主無線装置に伝送された同期クロックが、従無線装置を介して周波数同期して第２の通信網に伝送されるため、時分割複信方式の無線通信において、第１の通信網から第２の通信網に安定して同期クロックを伝送することが可能となる。
【００３６】
（実施の形態２）
図４は、この実施の形態に係る時分割複信方式無線通信システムの従無線装置の無線受信部を示す概略構成ブロック図である。この実施の形態では、基準発振器２５に代わって無線処理クロック再生部２６を備える点で実施の形態１と構成が異なり、実施の形態１と同等の構成については、同一符号を付することで、その説明を省略する。
【００３７】
すなわち、実施の形態１では、自走発振器である基準発振器２５によって、無線受信処理部２１で使用する無線処理クロックを生成し、この無線処理クロックで受信変調信号をＡ／Ｄ変換部２１１にてサンプリングしている。しかしながら、主無線装置の無線送信部１の無線処理クロックと、従無線装置の無線受信部２の無線処理クロックとには、周波数偏差があり得るため、受信バースト検出部２１２によるバースト信号の位置検出タイミングが、最大で１サンプリングクロック分の誤差が生じる場合がある。
【００３８】
そして、この誤差は、主無線装置の無線フレーム周期Ｔに対する従無線装置の検出周期Ｔ´の誤差となって現れ、同期網である第２の通信網に出力される再生同期クロックの揺らぎ（ジッタまたはワンダ）となる。また、主無線装置と従無線装置との無線処理クロックの周波数偏差が大きい場合や、無線フレーム周期Ｔに対して無線処理クロックの周波数が小さい場合などには、同期クロックの伝送品質に影響を与えることもあり得る。
【００３９】
そこで、この実施の形態では、基準発振器２５に代わって無線処理クロック再生部２６を備え、無線フレーム周期検出部２２で生成された無線フレームクロックを無線処理クロック再生部２６に入力する。この無線処理クロック再生部２６は、例えばＰＬＬ回路によって構成され、無線フレームクロックに周波数同期させた無線処理クロックを生成するものであり、この無線処理クロックに基づいて無線受信処理部２１（受信バースト検出部２１２）が処理・動作する。すなわち、この実施の形態では、検出周期Ｔ´による無線フレームクロックが、伝送データに反映されるのみではなく、無線受信部２の内部処理にも反映され、無線受信部２の内部処理が検出周期Ｔ´に同期する。従って、受信バースト検出部２１２は、無線処理クロック再生部２６によって生成された無線処理クロックでサンプリングされた受信変調信号に基づいて、バースト信号の位置を検出する。
【００４０】
ここで、主無線装置の無線送信部１で無線フレームを生成する際には、予め、無線処理クロックの周波数の理想値から無線フレーム周期Ｔに対応した無線処理クロック数を得ることができる。このため、無線処理クロック再生部２６では、無線フレームクロックの周期が理想的な無線処理クロック数になるように、無線処理クロックの周波数を制御すればよい。
【００４１】
このような無線処理クロック再生部２６によって、無線フレームクロックから無線処理クロックを生成・再生し、無線受信処理部２１に入力することで、受信バースト検出部２１２によるバースト信号の位置検出タイミングの誤差が、最大でも１サンプリングクロック未満となる。この結果、第２の通信網に出力される再生同期クロックの揺らぎを低減することができる。さらに、無線フレーム周期Ｔに対して無線処理クロックの周波数が大きくなるように、無線フレーム周期Ｔと無線処理クロックの周波数とを設定することで、再生同期クロックの揺らぎをより低減することができる。
【００４２】
以上のように、この実施の形態によれば、主無線装置の無線送信部１と従無線装置の無線受信部２とを介して、第１の通信網からの同期クロックを、揺らぎを抑えて第２の通信網に伝送することが可能となる。
【００４３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、Ａ／Ｄ変換部２１１が無線受信処理部２１に含まれているが、Ａ／Ｄ変換部２１１を無線受信処理部２１の上流側に位置させてもよい。
【符号の説明】
【００４４】
１        主無線装置の無線送信部
１１      同期クロック抽出・再生部
１２      無線処理クロック生成部
１３      伝送データ抽出部
１４      無線送信処理部
１４１    通信路符号化部
１４２    無線フレーム生成部
１４３    変調器
２        従無線装置の無線受信部
２１      無線受信処理部
２１１    Ａ／Ｄ変換部
２１２    受信バースト検出部
２１３    復調器
２１４    通信路復号部
２２      無線フレーム周期検出部
２３      同期クロック再生部
２４      伝送フレーム生成部（再生同期クロック送信部）
２５      発振器
２６      無線処理クロック再生部
【図１】
0005787685.tif 000002
【図２】
0005787685.tif 000003
【図３】
0005787685.tif 000004
【図４】
0005787685.tif 000005